【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
カラー画像にセキュリティ情報が含まれているか否かを判定する判定手段と、
前記判定手段により前記カラー画像にセキュリティ情報が含まれていると判定された場合、前記カラー画像をモノクロ変換した画像を記録媒体上に出力した際に、前記セキュリティ情報が再現されにくい各色成分の混合比率を用いて、前記カラー画像をモノクロ画像に変換する手段と
を備えたことを特徴とする画像処理装置。
【請求項２】
前記カラー画像を色成分ごとの画像データに分割する手段と、
前記分割する手段により色成分ごとに分割された画像データに対して孤立点判定を行う手段とを備え、
前記判定手段は、前記孤立点判定を行う手段による判定結果を用いてセキュリティ情報が含まれているか否かを判定すること
を特徴とする請求項１に記載の画像処理装置。
【請求項３】
前記判定手段は、前記孤立点判定を行う手段による色成分ごとの孤立点判定の複数の結果を用いて、前記分割する手段により分割された画像データごとにセキュリティ情報が含まれているか否かを判定することを特徴とする請求項２に記載の画像処理装置。
【請求項４】
前記混合比率は、前記カラー画像に含まれるセキュリティ情報の代表的な色を示す信号値であるセキュリティドット代表信号値を用いて決定されることを特徴とする請求項１乃至３のいずれかに記載の画像処理装置。
【請求項５】
前記変換する手段は、前記判定手段によりセキュリティドットが含まれていないと判定された場合、所定の混合比率により、前記カラー画像をモノクロ画像に変換することを特徴とする請求項１乃至４のいずれかに記載の画像処理装置。
【請求項６】
前記カラー画像を解析し、該解析結果に基づいて前記混合比率を算出することを特徴とする請求項５に記載の画像処理装置。
【請求項７】
前記解析は、前記カラー画像を構成する色に対して算出されたヒストグラムを用いた解析であることを特徴とする請求項６に記載の画像処理装置。
【請求項８】
前記画像処理装置が実現可能な混合比率の精度に関する情報である混合精度を取得する手段と、
前記取得された混合精度に基づいて、前記混合比率でカラー画像からモノクロ画像への変換が実現可能か否かを判定する手段と
をさらに備え、
前記変換が実現可能か否かを判定する手段が実現不可能と判定した場合、前記取得された混合精度で実現可能なブレンド比率の中から前記混合比率に最も近い混合比率を計算し、前記モノクロ画像に変換する手段は、前記計算された混合比率で、前記カラー画像をモノクロ画像に変換することを特徴とする請求項１乃至７のいずれかに記載の画像処理装置。
【請求項９】
前記混合比率の計算は、前記カラー画像に含まれているセキュリティ情報の色の種類とセキュリティ情報再現閾値に応じた混合比率の計算であることを特徴とする請求項８に記載の画像処理装置。
【請求項１０】
前記判定手段はさらに、前記カラー画像に含まれているセキュリティ情報の前記カラー画像における座標を判定し、
前記カラー画像の画素のうち、前記判定手段により判定されたセキュリティ情報の画素について前記混合比率を計算し、
前記モノクロ画像に変換する手段は、前記判定手段により判定された座標を用いて、前記セキュリティ情報が含まれていると判断された画素に対して計算された混合比率で、当該画素ごとにモノクロ画像への変換を行うこと
を特徴とする請求項１乃至９のいずれかに記載の画像処理装置。
【請求項１１】
前記画像処理装置には、第２の画像処理装置が接続され、前記画像処理装置が取得した画像データを前記第２の画像処理装置にてリモートコピーが可能であり、
前記画像処理装置の混合精度および前記第２の画像処理装置の混合精度を取得する手段と、
前記画像処理装置の混合精度と前記第２の画像処理装置の混合精度とを比較する手段とをさらに備え、
前記比較の結果、前記第２の画像処理装置の方が混合精度が高い場合、前記第２の画像処理装置に、前記カラー画像のモノクロ画像への変換を前記混合比率で行わせることを特徴とする請求項１乃至７のいずれかに記載の画像処理装置。
【請求項１２】
前記画像処理装置には、第２の画像処理装置が接続され、前記画像処理装置が取得した画像データを前記第２の画像処理装置にてリモートコピーが可能であり、
前記画像処理装置の混合精度および前記第２の画像処理装置の混合精度を取得する手段と、
前記画像処理装置の混合精度を参照して、前記混合比率でカラー画像からモノクロ画像への変換が実現可能か否かを判定する手段とを備え、
前記変換が実現可能であると判定される場合、前記画像処理装置にて、前記混合比率による前記カラー画像のモノクロ画像への変換を行い、
前記変換が実現可能ではないと判定される場合、前記第２の画像処理装置の混合精度を参照して、前記第２の画像処理装置において前記混合比率でカラー画像からモノクロ画像への変換が実現可能か否かを判定し、
前記第２の画像処理装置において前記混合比率による変換が実現可能である場合は、前記第２の画像処理装置に、前記混合比率による前記カラー画像のモノクロ画像への変換を行わせ、
前記第２の画像処理装置において前記混合比率による変換が実現可能ではない場合は、前記画像処理装置において前記混合比率を計算し、該計算された混合比率により前記カラー画像のモノクロ画像への変換を行うことを特徴とする請求項１乃至８のいずれかに記載の画像処理装置。
【請求項１３】
前記混合比率は、前記セキュリティ情報の色に基づき決定されることを特徴とする請求項１に記載の画像処理装置。
【請求項１４】
カラー画像にセキュリティ情報が含まれているか否かを判定する判定工程と、
前記判定工程により前記カラー画像にセキュリティ情報が含まれていると判定された場合、前記カラー画像をモノクロ変換した画像を記録媒体上に出力した際に、前記セキュリティ情報が再現されにくい各色成分の混合比率を用いて、前記カラー画像をモノクロ画像に変換する工程と
を備えたことを特徴とする画像処理方法。
【請求項１５】
コンピュータを請求項１乃至１３のいずれかに記載の画像処理装置として機能させるためのコンピュータプログラム。
【請求項１６】
コンピュータにより読み出し可能なプログラムを記憶した記憶媒体であって、請求項１５に記載のコンピュータプログラムを記憶したことを特徴とする記憶媒体。
【手続補正２】
【補正対象書類名】明細書
【補正対象項目名】００１１
【補正方法】変更
【補正の内容】
【００１１】
このような課題を解決するために、本発明に係る画像処理装置は、カラー画像にセキュリティ情報が含まれているか否かを判定する判定手段と、
前記判定手段により前記カラー画像にセキュリティ情報が含まれていると判定された場合、前記カラー画像をモノクロ変換した画像を記録媒体上に出力した際に、前記セキュリティ情報が再現されにくい各色成分の混合比率を用いて、前記カラー画像をモノクロ画像に変換する手段とを備えたことを特徴とする。
【手続補正３】
【補正対象書類名】明細書
【補正対象項目名】００１２
【補正方法】変更
【補正の内容】
【００１２】
また、本発明に係る画像処理方法は、カラー画像にセキュリティ情報が含まれているか否かを判定する判定工程と、
前記判定工程により前記カラー画像にセキュリティ情報が含まれていると判定された場合、前記カラー画像をモノクロ変換した画像を記録媒体上に出力した際に、前記セキュリティ情報が再現されにくい各色成分の混合比率を用いて、前記カラー画像をモノクロ画像に変換する工程とを備えたことを特徴とする。